(57)【特許請求の範囲】
【請求項１】
収納装置本体と、その収納装置本体の収納空間に対して収納移動ならびに引き出し移動自在な上面開口の容器と、その容器の開口部を開閉する蓋体と、前記収納装置本体側に保持され、かつ、前記蓋体を前記開口部に対する開閉方向に案内移動させる案内体とを備え、
前記案内体が、前記容器の収納移動に伴って前記蓋体を前記開口部の閉鎖方向に案内移動させ、前記容器の引き出し移動に伴って前記蓋体を前記開口部の開放方向に案内移動させる収納装置であって、
前記案内体が、上下方向に移動自在に前記収納装置本体側に保持されて、前記蓋体を案内移動するときには前記容器により、上下方向の移動が受け止められるように構成されている収納装置。
【請求項２】
前記案内体と、それにて案内移動される前記蓋体側の被案内体とのうち、いずれか一方がカム部材で、他方がカムフォロアで構成されている請求項１に記載の収納装置。
【請求項３】
前記カム部材が、前記容器の収納ならびに引き出し移動方向に直交し且つ上下方向に直交する方向視において左右対称形に構成され、かつ、そのカム部材が、前記容器の収納ならびに引き出し移動方向視において前記容器の左右両側に設けられている請求項２に記載の収納装置。
【請求項４】
前記容器が、その開口部に沿って開口部の外方に膨出する開口縁部を備え、その開口縁部から突出して形成された受け止め面が、前記案内体の上下方向の移動を受け止めるように構成されている請求項１〜３のいずれか１項に記載の収納装置。
【請求項５】
前記収納装置本体が、前記容器の移動方向において、容器が設定切換位置よりも収納側に移動するに伴って容器を収納方向側に付勢し、前記容器が前記設定切換位置よりも引き出し側に移動するに伴って容器を引き出し方向側に付勢するトグル機構を備えている請求項１〜４のいずれか１項に記載の収納装置。
【発明の詳細な説明】
【０００１】
【発明の属する技術分野】
本発明は、収納装置本体と、その収納装置本体の収納空間に対して収納移動ならびに引き出し移動自在な上面開口の容器と、その容器の開口部を開閉する蓋体と、前記収納装置本体側に保持され、かつ、前記蓋体を前記開口部に対する開閉方向に案内移動させる案内体とを備え、前記案内体が、前記容器の収納移動に伴って前記蓋体を前記開口部の閉鎖方向に案内移動させ、前記容器の引き出し移動に伴って前記蓋体を前記開口部の開放方向に案内移動させる収納装置に関する。
【０００２】
【従来の技術】
このような収納装置の具体例としては、例えば、食器洗浄機があり、洗浄機本体の収納空間に対して容器の一例である洗浄槽が収納移動ならびに引き出し移動自在に構成されている。
そして、その洗浄槽の上面開口部を開閉する蓋体が、洗浄機本体の収納空間上方に配設され、その蓋体を開閉方向に案内移動させる案内体として、従来、リンクを使用したものが知られている（例えば、特開２０００−１３９７９８号公報参照）。
【０００３】
この公報に開示の構成によれば、洗浄槽の開口部を開閉する蓋体が、一端を洗浄機本体に軸支し、他端を蓋体に軸支した複数のリンクによって洗浄機本体側にスイング自在に保持され、蓋体と洗浄機本体とにわたって介装したスプリングによって洗浄槽開口部の開放方向側に付勢移動されている。
そして、蓋体の後方側に下方へ突出する係止部が設けられ、洗浄槽を洗浄機本体に対して収納方向側に移動させると、洗浄槽がその係止部に接当して蓋体を収納方向側に押圧移動させ、それに伴って蓋体がスイング移動して、洗浄槽の上面開口部を密閉するように構成されている。
【０００４】
【発明が解決しようとする課題】
ところで、この公知の構成によれば、蓋体が複数のリンクによって洗浄機本体側にスイング自在に保持されているため、蓋体は、洗浄機本体に対して常に一定したスイング軌跡で移動することになる。一方、洗浄槽は、洗浄機本体に対して収納移動ならびに引き出し移動自在に構成されているため、洗浄機本体、洗浄槽、ならびに、リンクとの間の取り合わせ精度が低いと、洗浄槽を所定の収納位置に収納した際、その洗浄槽の開口部を蓋体により確実に密閉することができなくなる虞がある。
したがって、この公知の構成では、洗浄機本体、洗浄槽、ならびに、リンクとの間の取り合わせに高い精度が要求され、それが製造上での困難性を招き、コストアップの一因となる可能性があった。
【０００５】
本発明は、このような従来の問題点に着目したもので、その目的は、製造上においてさほど高い精度が要求されず、しかも、洗浄槽のような容器を所定の収納位置に収納した際、その容器の開口部を蓋体により確実に閉鎖することのできる収納装置を提供することにある。
【０００６】
【課題を解決するための手段】
この目的を達成するため、請求項１に記載の発明によれば、収納装置本体と、その収納装置本体の収納空間に対して収納移動ならびに引き出し移動自在な上面開口の容器と、その容器の開口部を開閉する蓋体と、前記収納装置本体側に保持され、かつ、前記蓋体を前記開口部に対する開閉方向に案内移動させる案内体とを備え、前記案内体が、前記容器の収納移動に伴って前記蓋体を前記開口部の閉鎖方向に案内移動させ、前記容器の引き出し移動に伴って前記蓋体を前記開口部の開放方向に案内移動させる収納装置であって、前記案内体が、上下方向に移動自在に前記収納装置本体側に保持されて、前記蓋体を案内移動するときには前記容器により上下方向の移動が受け止められるように構成されている。
【０００７】
すなわち、蓋体を開口部に対する開閉方向に案内移動させる案内体が、上下方向に移動自在に収納装置本体側に保持されているので、容器の収納移動方向側への移動に伴って、案内体の上下方向への移動が可能となる。そして、その案内体の上下方向の移動が、閉鎖するべき開口部を有する容器によって受け止められるように構成されているので、蓋体による容器開口部の閉鎖動作は、ほとんど案内体のみによって実行されることになる。
そのため、案内体やその案内体を受け止める容器側の受け止め部分に対して、寸法上での精度は要求されるが、少なくとも、上述した従来構造のように、収納装置本体、容器、ならびに、案内体との間において高い取り合わせ精度が要求されることはなく、したがって、製造上での困難性を回避してコストダウンを図りながら、しかも、容器を所定の収納位置に収納した際、その容器開口部を蓋体によって確実に閉鎖することができる。
【０００８】
請求項２に記載の発明によれば、前記案内体と、それにて案内移動される前記蓋体側の被案内体とのうち、いずれか一方がカム部材で、他方がカムフォロアで構成されている。
【０００９】
すなわち、案内体と被案内体とをリンク機構によって連動させることもできるが、その場合には、リンク機構が複雑となってコストアップの原因となる虞があるが、カム部材とカムフォロアからなるカム機構を採用することにより、構造を簡素化してコストアップを回避することができる。
【００１０】
請求項３に記載の発明によれば、前記カム部材が、前記容器の収納ならびに引き出し移動方向に直交し且つ上下方向に直交する方向視において左右対称形に構成され、かつ、そのカム部材が、前記容器の収納ならびに引き出し移動方向視において前記容器の左右両側に設けられている。
【００１１】
すなわち、蓋体を案内移動させるカム部材が、容器の収納ならびに引き出し移動方向視において容器の左右両側に設けられているので、カム部材による蓋体の案内移動が円滑かつ確実となる。
そして、そのカム部材が、容器の収納ならびに引き出し移動方向に直交し且つ上下方向に直交する方向視において左右対称形に構成されているので、容器の左側と右側でカム部材の向きを変えるだけで、全く同じカム部材を使用することができ、部品点数の減少によるコストダウンを図ることができる。
【００１２】
請求項４に記載の発明によれば、前記容器が、その開口部に沿って開口部の外方に膨出する開口縁部を備え、その開口縁部から突出して形成された受け止め面が、前記案内体の上下方向の移動を受け止めるように構成されている。
【００１３】
すなわち、案内体の移動を受け止める受け止め面が、容器の開口縁部から突出しているので、その突出した受け止め面についてのみ寸法上での精度を保持すれば、蓋体によって容器開口部を確実に閉鎖することができ、開口縁部全体にわたって寸法上での精度を確保する必要がなく、この点からも製造の容易化によるコストダウンを図ることができる。
【００１４】
請求項５に記載の発明によれば、前記収納装置本体が、前記容器の移動方向において、容器が設定切換位置よりも収納側に移動するに伴って容器を収納方向側に付勢し、前記容器が前記設定切換位置よりも引き出し側に移動するに伴って容器を引き出し方向側に付勢するトグル機構を備えている。
【００１５】
したがって、特に、容器を収納装置本体に収納する際、そのトグル機構による収納方向側への付勢によって、容器を確実に所定の収納位置にまで移動させることができ、その後の蓋体による容器開口部の閉鎖もより一層確実なものとなる。
【００１６】
【発明の実施の形態】
本発明による収納装置の実施の形態を図面に基づいて説明する。
この収納装置は、食器洗浄機などに適用されるもので、食器洗浄機は、図１〜図３に示すように、金属製の板材などで形成されて、その前面が開口する収納装置本体としての箱状の洗浄機本体１を備え、かつ、洗浄機本体１内側の収納空間内に収納自在な容器としての上面開口の洗浄槽２を備えている。
洗浄槽２の底部下方には、洗浄ポンプ３などが、洗浄槽２の内部には、洗浄ノズル４やヒータ５などが配置されて、それぞれ洗浄槽２に一体的に組み付けられ、かつ、洗浄槽２の内部には、食器などを収納載置する洗浄かご６が取り出し自在に収納されている。
【００１７】
食器洗浄機の正面視において、洗浄機本体１の内側には、レールなどで構成された左右一対のスライド機構７が設けられ、その左右一対のスライド機構７を介して、前記洗浄槽２が、洗浄機本体１の収納空間に対して、矢印Ａで示す収納移動方向へのスライド移動と、矢印Ｂで示す引き出し移動方向へのスライド移動が可能なように構成されている。
そして、洗浄槽２の前面には、把手８などを備えた本体蓋９が取り付けられていて、引き出し移動方向Ｂへスライド移動させることで、図１や図３に示すように、洗浄槽２が前面側に引き出されて、食器や洗浄かご６を取り出したり収納したりできるように構成され、また、収納移動方向Ａへスライド移動させることで、図２に示すように、洗浄機本体１内に洗浄槽２を収納して、食器を洗浄したり乾燥したりできるように構成され、その食器洗浄時などにおいて、洗浄槽２からの洗浄水の飛散を防止するための蓋体１０が、洗浄機本体１内側の上部に配設されている。
【００１８】
前記蓋体１０は、合成樹脂製で、図４〜図６に詳しく示すように、その後端には、下方へ突出する突出部１１が一体的に設けられ、その左右の両縁部には、金属製の縁部材１２が取り付けられていて、その縁部材１２には、後に詳しく説明するように、被案内体であるカムフォロアとして機能するピン１３が、左右外側に突出するように２本ずつ設けられている。更に、縁部材１２の上方には、係止部１４がそれぞれ設けられて、左右一対の係止部１４と洗浄機本体１との間に、蓋体１０を前面上方側に付勢するためのコイルスプリングからなる蓋用スプリング１５が介装され、蓋体１０の下面の外周には、弾性材からなるシール部材１６が取り付けられている。
そして、洗浄機本体１の左右内側には、洗浄機本体１を形成する板材を切り出して形成された一対の保持舌片１７が、蓋体１０側のピン１３に対応するように４対設けられ、各対の保持舌片１７によって、ピン１３と協働する案内体としてのクランプ部材１８が、矢印Ｃで示す洗浄槽２の上面開口部に対する蓋体１０の開閉方向に移動自在に保持されている。
【００１９】
前記クランプ部材１８は、合成樹脂や金属製の成形品で構成され、図７に示すように、その上部には、蓋体１０側のピン１３が嵌入するカム部材として機能するカム溝１９が設けられ、カム溝１９の下方には、一対の保持舌片１７の上縁に接当して保持される保持片２０が設けられている。
更に、クランプ部材１８の下方には、後に詳しく説明するように、洗浄槽２への接当によって前記開閉方向Ｃへの移動が受け止め阻止されるための接当部２１が設けられていて、カム溝１９、保持片２０、ならびに、接当部２１などが、クランプ部材１８の同一面側に設けられている。
【００２０】
前記カム溝１９は、図８に示すように、洗浄槽２が洗浄機本体１内に収納されたときにピン１３が位置する最下方位置ａと、洗浄槽２が洗浄機本体１から引き出されたときに位置する最上方位置ｂとにわたって傾斜状に設けられ、かつ、クランプ部材１８の上下方向の中心線Ｌ上に前記最下方位置ａが位置する状態で、互いに連続して左右に一対設けられるとともに、クランプ部材１８そのものも中心線Ｌを中心として左右対称形に構成されている。
そして、このようなクランプ部材１８が、洗浄機本体１の左右内側に設けられた４対の保持舌片１７によって、それぞれカム溝１９などを内側に向けた状態で、換言すると、各クランプ部材１８が、洗浄槽２の収納移動方向Ａならびに引き出し移動方向Ｂに直交する方向視において左右対称形に構成され、その収納移動方向Ａならびに引き出し移動方向Ｂにおいて洗浄槽２の左右両側に位置されて、４対の保持舌片１７によって前記開閉方向Ｃに移動自在に保持されるとともに、各クランプ部材１８のカム溝１９にピン１３が嵌入されている。
【００２１】
前記洗浄機本体１の内側後方には、後に詳しく説明するように、洗浄槽２の収納移動方向Ａと引き出し移動方向Ｂへの移動に伴って切換作動されるトグル機構２２が左右に一対設けられ、各トグル機構２２は、その一端部に係合用切欠き２３を有するほぼＬ字状のレバー２４とコイルスプリング２５で構成されている。
すなわち、Ｌ字状レバー２４の中間部が、枢支ピン２６を介して洗浄機本体１に回動自在に取り付けられ、そのレバー２４の他端部と洗浄機本体１との間にコイルスプリング２５が介装されていて、コイルスプリング２５の付勢力に起因するレバー２４の回動力作用方向が、図８の（ロ）に示す設定切換位置Ｄを中心として逆方向に切換わるように構成されている。
【００２２】
前記洗浄槽２は、その上面開口部の外周に沿って外方に膨出する開口縁部、つまり、洗浄槽２の左右横側方に膨出する左右一対の横側開口縁部２７、後方に膨出する後側開口縁部２８、ならびに、前方に膨出する前側開口縁部２９とを一体的に備え、左右一対の横側開口縁部２７には、その横側開口縁部２７から下方へ突出する状態で形成された受け止め面３０が、前記クランプ部材１８の接当部２１に対応するように２個ずつ設けられている。
そして、後側開口縁部２８には、前記蓋体１０の突出部１１に接当して押圧移動させるための押圧部材３１が設けられ、更に、洗浄槽２の後方側の左右横側方には、各トグル機構２２を構成するＬ字状レバー２４の係合用切欠き２３に嵌入する左右一対の係合用ピン３２が突設されている。
【００２３】
つぎに、以上の構成からなる食器洗浄機の動作について説明する。
洗浄槽２を洗浄機本体１の収納空間に収納した状態では、図２、図４の（イ）、ならびに、図８の（イ）に示すように、洗浄槽２から突出する左右一対の係合用ピン３２が、各トグル機構２２を構成するレバー２４の係合用切欠き２３内に嵌入し、コイルスプリング２５の付勢力に起因するレバー２４の回動力が、洗浄槽２の収納移動方向Ａ側に作用している。
更に、洗浄槽２の押圧部材３１が、蓋体１０の突出部１１に接当して収納移動方向Ａ側に押圧しているので、蓋体１０から突出する合計４本のピン１３が、各クランプ部材１８のカム溝１９内における最下方位置ａに位置して、後に詳しく説明するように、蓋体１０が洗浄槽２の上面開口部を密閉している。
【００２４】
この収納状態から洗浄槽２を引き出し移動方向Ｂ側へ引き出すと、係合用ピン３２の移動に伴って、レバー２４がコイルスプリング２５の付勢力に抗して引き出し移動方向Ｂ側に回動され、同時に、押圧部材３１の移動に伴って、蓋用スプリング１５の付勢力により蓋体１０が引き出し方向Ｂ側に移動されるとともに、４本のピン１３が、各カム溝１９内において引き出し方向Ｂ側に移動される。
そして、レバー２４が図８の（ロ）に示す設定切換位置Ｄを越えると、図８の（ハ）や図４の（ロ）に示すように、コイルスプリング２５の付勢力に起因するレバー２４の回動力が、引き出し移動方向Ｂ側に作用するように切換わり、コイルスプリング２５の付勢力によって、洗浄槽２が引き出し移動方向Ｂ側に押し出され、４本のピン１３が、各カム溝１９内における最上方位置ｂにまで移動するとともに、その後、係合用ピン３２が係合用切欠き２３から外れ、蓋体１０による洗浄槽２の上面開口部の閉鎖が解除され、図１や図３に示すように、洗浄槽２が洗浄機本体１から引き出される。
【００２５】
この引き出し状態から洗浄槽２を収納移動方向Ａ側へ押し込むと、洗浄槽２から突出する左右一対の係合用ピン３２が、各トグル機構２２を構成するレバー２４の係合用切欠き２３内に嵌入して、引き出し時とは逆に、レバー２４をコイルスプリング２５の付勢力に抗して収納移動方向Ａ側に回動させる。
そして、レバー２４が設定切換位置Ｄを越えると、レバー２４の回動力が、収納移動方向Ａ側に作用するように切換わり、コイルスプリング２５の付勢力によって、洗浄槽２を収納移動方向Ａ側に引き込むと同時に、洗浄槽２の押圧部材３１が、蓋体１０の突出部１１に接当して収納移動方向Ａ側に押圧移動させ、それに伴って、各クランプ部材１８のカム溝１９内において、その最上方位置ｂにあった４本のピン１３が最下方位置ａの方へ移動される。
【００２６】
このカム溝１９内におけるピン１３の移動によって、蓋体１０が下方へ、つまり、洗浄槽２の開口部に対する開閉方向Ｃ側へ移動され、同時に、各クランプ部材１８が上方へ、つまり、前記開閉方向Ｃ側へ移動される。
そして、最終的に、各ピン１３が各カム溝１９内の最下方位置ａにまで移動されて、各クランプ部材１８の接当部２１が、洗浄槽２の横側開口縁部２７から突出された受け止め面３０に接当し、クランク部材１８の前記開閉方向Ｃへの移動が阻止されるとともに、カム溝１９とピン１３との協働作用で蓋体１０が洗浄槽２側へ押し付けられ、図５に示すように、蓋体１０に設けられたシール部材１６が、洗浄槽２の開口縁部２７，２８，２９の上面に密着して、洗浄槽２の上面開口部が確実に密閉されるのである。
【００２７】
〔別実施形態〕
（１）先の実施形態では、カム溝１９とピン１３によるカム機構によって、蓋体１０をその開閉方向Ｃに案内移動させるように構成した例を示したが、カム機構以外にも、例えば、リンク機構によって蓋体１０をその開閉方向Ｃに案内移動させるように構成することもできる。
また、カム機構を採用する場合、先の実施形態で示したカム溝１９とピン１２よるカム機構に限らず、例えば、カム面とそのカム面に押圧される回転自在なカムフォロアによるカム機構など、種々のカム機構を採用することができ、更に、先の実施形態とは逆に、蓋体１０側にカム部材を設け、案内体１８側にカムフォロアを設けて実施することもできる。
【００２８】
（２）先の実施形態では、洗浄槽２の左右に配設するクランプ部材１８を共用化するため、そのカム溝１９などを左右対称形に構成した例を示したが、洗浄槽２の左側に配設するクランプ部材と右側に配設するクランプ部材とを各別に、つまり、左右勝手違いの２種類のクランプ部材を用いて実施することもでき、また、クランプ部材１８を合計４個配設した例を示したが、クランプ部材１８の個数については、洗浄槽２の開口部の大きさなどに応じて適宜選択して実施することができる。
また、洗浄槽２の横側開口縁部２７に下方へ突出する受け止め面３０を設け、その受け止め面３０に対してクランプ部材１８の接当部２１が接当するように構成した例を示したが、クランプ部材１８の接当部２１を横側開口縁部２７の下面に直接接当させたり、あるいは、洗浄槽２の他の部分に接当させるように構成して実施することもできる。
【００２９】
（３）先の実施形態では、洗浄機本体１にトグル機構２２を設けた例を示したが、このトグル機構２２については必ずしも必要なものではなく、トグル機構２２をなくして実施することもできる。
更に、本発明による収納装置を食器洗浄機に適用した例を示したが、食器洗浄機に限るものではなく、例えば、薬品の収納装置や冷凍食品の収納装置などのような各種の収納装置にも適用することができる。
【図面の簡単な説明】
【図１】食器洗浄機の全体斜視図
【図２】食器洗浄機の縦断側面図
【図３】食器洗浄機の縦断側面図
【図４】食器洗浄機の要部の縦断側面図
【図５】食器洗浄機の要部の横断正面図
【図６】食器洗浄機の要部の横断正面図
【図７】クランプ部材の斜視図
【図８】クランプ部材とトグル機構の動作を示す側面図
【符号の説明】
１        収納装置本体
２        容器
１０      蓋体
１３      カムフォロア
１８      案内体
１９      カム部材
２２      トグル機構
２７      開口縁部
３０      受け止め面
Ａ        収納移動方向
Ｂ        引き出し移動方向
Ｃ        開閉方向
Ｄ        設定切換位置
【図１】
0004493212.tif 000002
【図２】
0004493212.tif 000003
【図３】
0004493212.tif 000004
【図４】
0004493212.tif 000005
【図５】
0004493212.tif 000006
【図６】
0004493212.tif 000007
【図７】
0004493212.tif 000008
【図８】
0004493212.tif 000009